(57)【特許請求の範囲】
【請求項１】
空気を吹出す吹出口において、縦軸周りに回動自在で板面方向を縦方向とする複数の縦風向板が互いに間隔をおいて横方向にルーバー状に配列された風向調整機構において、前記複数の縦風向板を連動して回動させる連動杆が設けられ、該連動杆に間隔をおいて形成された複数の連結穴に各縦風向板の頭部付き連結ピンが挿入されて該連結ピンが連動杆に回動自在に連結され、前記連結穴の周囲において、前記連結ピンの縦風向板の端縁および／または連結ピンの頭部と接触して連動杆の厚み方向でのグラツキを調整する複数のリブが連動杆の厚み方向に形成されたことを特徴とする風向調整機構の連動装置。
【請求項２】
前記リブが前記連結穴部を中心に放射状に形成されたことを特徴とする請求項１に記載の風向調整機構の連動装置。
【請求項３】
前記吹出口が、空気調和機の室内ユニットの吹出口であることを特徴とする請求項１又は２に記載の風向調整機構の連動装置。
【請求項４】
空気を吹出す吹出口において、縦軸周りに回動自在で板面方向を縦方向とする複数の縦風向板が互いに間隔をおいて横方向にルーバー状に配列された風向調整機構に対して、複数の縦風向板を連動して回動させる連動杆に複数の連結穴を間隔をおいて形成し、各連結穴に各縦風向板の頭部付き連結ピンを挿入し、該連結ピンを連動杆に回動自在に連結する連動装置を設計するに際し、前記連結穴の周囲に連結ピンの縦風向板の端縁および／または連結ピンの頭部と接触して連動杆の厚み方向でのグラツキを調整する複数のリブを連動杆の厚み方向に形成し、かつ、連結穴の穴壁には、連結ピンと点当たりする複数の突起を間隔をおいて形成し、連動杆を手動で操作する場合には、連動杆を駆動源に接続する場合に比べて、各突起の突出量を大きく設定することを特徴とする、風向調整機構における連動装置の設計方法。
【発明の詳細な説明】
【技術分野】
【０００１】
本発明は、空気調和機、加湿機、除湿機、空気清浄機、暖房機等の空気調節装置の吹出口に設けられた風向調整機構の連動装置に関するものである。
【背景技術】
【０００２】
この種の風向調整機構の連動装置は、特許文献１に示すように、吹出口をほぼ等間隔に仕切る縦風向板がルーバー状に複数枚配列され、これら縦風向板が支軸を支点として左右方向に回動自在に構成され、各縦風向板が連結ピンを介して連動杆により連結された構成を採用している。
【０００３】
図７はこの種の連動杆１０３の連結穴部を示す平面図である。図に示すように、従来の連動装置の連結穴１００は、連結ピンを挿入可能な丸穴状の連結穴部１０１と、連結ピンを容易に挿入できるように連結穴部に切込み形成された一対のスリット１０２とを備えている。そして、縦風向板より突設された連結ピンを連動杆１０３の連結穴部１０１から挿通し、その先端が熱加締めされている。
【特許文献１】特開平７−１０３５６０（０００２，００１８参照）
【発明の開示】
【発明が解決しようとする課題】
【０００４】
ところで、風向調整機構の連動装置は、その連動杆を駆動源に接続する場合と、連動杆を手動で操作する場合とがある。連動杆を駆動源に接続する場合と、手動で操作する場合とでは、連結ピンと連結穴との嵌合時の接触圧を変更させる必要がある。
【０００５】
例えば、手動操作の場合、縦風向板の回転トルクを大きくして縦風向板が振動などにより比較的容易に回動するのを規制し、また、連動杆を駆動源に接続する場合には比較的小さなトルクで縦風向板が回動するように連結ピンと連結穴との嵌合具合を調整している。
【０００６】
この縦風向板と連動杆との組立やトルクの調整は、連結ピンまたは連結穴の寸法の変更により行っているが、図７に示すように、連動杆の連結穴１００は、連結ピンに合わせた丸穴形状の連結穴部１０１にスリット１０２が入った形状であるため、温度変化や成形又は組立のバラツキにより、組立又はトルク調整にバラツキを生じ、品質の安定性に問題があった。
【０００７】
本発明は、上記に鑑み、寸法およびトルクの調整を容易に行えると共に、温度変化や成形、組立のバラツキによる変形に対して、トルク管理および組立性も向上し得る風向調整機構の連動装置の提供を目的としている。
【課題を解決するための手段】
【０００８】
上記目的を達成するため、本発明は、空気を吹出す吹出口において、縦軸周りに回動自在で板面方向を縦方向とする複数の縦風向板が互いに間隔をおいて横方向にルーバー状に配列された風向調整機構において、前記複数の縦風向板を連動して回動させる連動杆が設けられ、該連動杆に間隔をおいて形成された複数の連結穴に各縦風向板の頭部付き連結ピンが挿入されて該連結ピンが連動杆に回動自在に連結され、前記連結穴の周囲において、前記連結ピンの縦風向板の端縁および／または連結ピンの頭部と接触して連動杆の厚み方向でのグラツキを調整する複数のリブが連動杆の厚み方向に形成されたことを特徴とする。
【０００９】
上記構成によると、連結穴の周囲において、前記連結ピンの縦風向板の端縁および／または連結ピンの頭部と接触して連動杆の厚み方向でのグラツキを調整する複数のリブが連動杆の厚み方向に形成されているので、連結ピンの軸方向でのグラツキを調整することができる。この場合のリブは連結穴部を中心に放射状に形成することができる。
【００１０】
また、連結穴の穴壁に、連結ピンと点当たりする複数の突起が間隔をおいて形成され、前記連動杆を手動で操作する場合、連動杆を駆動源に接続する場合に比べて、前記突起の突出量が大きく設定することができる。
すなわち、本発明では、空気を吹出す吹出口において、縦軸周りに回動自在で板面方向を縦方向とする複数の縦風向板が互いに間隔をおいて横方向にルーバー状に配列された風向調整機構に対して、複数の縦風向板を連動して回動させる連動杆に複数の連結穴を間隔をおいて形成し、各連結穴に各縦風向板の頭部付き連結ピンを挿入し、該連結ピンを連動杆に回動自在に連結する連動装置を設計するに際し、前記連結穴の周囲に連結ピンの縦風向板の端縁および／または連結ピンの頭部と接触して連動杆の厚み方向でのグラツキを調整する複数のリブを連動杆の厚み方向に形成し、かつ、連結穴の穴壁には、連結ピンと点当たりする複数の突起を間隔をおいて形成し、連動杆を手動で操作する場合には、連動杆を駆動源に接続する場合に比べて、各突起の突出量を大きく設定することを特徴とする、風向調整機構における連動装置の設計方法を提供する。
上記構成によると、連結穴の穴壁に、連結ピンと点当たりさせる複数の突起を間隔をおいて形成しているので、寸法およびトルクの調整が容易になると共に、温度変化やバラツキによる変形に対してのトルク管理および組立性も向上し得る。また、連動杆を手動で操作する場合、連動杆を駆動源に接続する場合に比べて、突起の突出量を大きく設定するので、接続対象に合わせた連動杆を提供することができ、連動杆の変更のみで連動杆を手動操作および駆動操作の両態様に対応させることができる。
【００１３】
なお、吹出口は空気調和機、加湿機、除湿機、空気清浄機、暖房機等の空気調節装置の吹出口であり、これらの空気調節装置において、室内ユニットの吹出口に本発明を適用するのが好適である。
【発明の効果】
【００１４】
以上のとおり、本発明によると、連結穴の穴壁に複数の突起が間隔をおいて形成されているので、連結ピンと点当たりで接触することになり、寸法およびトルクの調整が容易に行え、温度変化やバラツキによる変形に対してのトルク管理性や組立性も向上させることができる。
【発明を実施するための最良の形態】
【００１５】
以下、本発明の実施形態を図面に基づいて説明する。図１は本発明の実施形態である空気調和機の室内ユニットの吹出口に配置される風向調整機構を示す斜視図、図２は同じく連動杆の平面図、図３（ａ）は縦風向板と連動杆との連結前の状態を示す側面図、（ｂ）は縦風向板と連動杆との連結状態を示す側面図である。図４は連動杆の連結穴部の拡大平面図、図５は図４のＡ−Ａ断面図、図６は図４のＢ−Ｂ断面図である。
【００１６】
図に示すように、本発明に係る風向調整機構１は、空気を吹出す吹出口２において、縦軸３周りに回動自在で、かつ板面方向を縦方向とする複数の縦風向板４が互いに間隔をおいて横方向にルーバー状に配列されている。また、図示しないが、縦風向板４よりも前方には、通常、横風向板が配され、縦方向に風向を制御できるようになっている。
【００１７】
各縦風向板４は、図３に示すように、板面方向を縦方向とする羽根部４ａと、該羽根部の後端部に形成されたフランジ４ｂ付きの軸部４ｃと、羽根部４ａの前後方向で中間位置において羽根部４ａの下端縁から下方に突出する連動装置５の連結ピン９とが合成樹脂により一体的に形成されてなる。
【００１８】
そして、軸部４ｃは、図１に示すように、吹出口２を形成する口壁２ａに形成された軸穴（図示略）に回動自在に連結されている。また、吹出口２の左右両端部に位置する縦風向板４の軸部フランジ４ｂは、その周辺の一部が切欠かれ、その切欠部４ｄに吹出口２の口壁２ａ側から突出したストッパピン２ｂが係合されて縦風向板４の回動範囲が規制されている。左右両端の縦風向板４の回動範囲が規制されており、これに他の縦風向板４が連動装置５の連動杆６により連結されているので、すべての縦風向板４の回動範囲が規制されることになる。
【００１９】
本実施形態では、これら縦風向板４を連動して回動させる連動装置５が設けられている。連動装置５は、複数の縦風向板４を連動して回動させる連動杆６から構成される。本実施形態では、吹出口２の左半分と右半分とで夫々縦風向板４同士を連動連結するように左右一対の連動杆６が配置されている。
【００２０】
そして、連動杆６には、その杆方向に間隔をおいて形成された複数の連結穴７に各縦風向板４の頭部８付き連結ピン９が挿入されて該連結ピン９が連動杆６に回動自在に連結されている。
【００２１】
連結ピン９は、図３に示すように、円柱形のピン部９ａと、その下端にピン部よりも大径に形成された頭部８とを有している。
【００２２】
一方、連結穴７は、図２および図４に示すように、連動杆６に間隔をおいて形成された肉厚の軸受部６ａにおいて、円形の連結穴部７ａと、その穴壁に杆方向に沿って形成された左右一対のスリット１２とから構成される。スリット１２は、連結ピン９の頭部８を連結穴部７ａに挿入しやすくするために形成される。
【００２３】
また、連結穴部７ａの穴壁に沿って、連結ピン９のピン部９ａと点当たりする複数の突起１０が間隔をおいて形成されている。突起１０の突出量は、連動杆６を駆動源に接続する場合と、連動杆６を手動で操作する場合とで異なるように設定されている。例えば、手動操作の場合、縦風向板４の回転トルクを大きくして縦風向板が振動などにより比較的容易に回動するのを規制するため、突起１０の突出量をモータ等の駆動源へ接続する場合に比べて大きくしている。また、連動杆６をモータ等の駆動源に接続する場合には比較的小さなトルクで縦風向板４が回動するように突起１０の突出量を手動操作の場合よりも小さくし、連結ピン９と連結穴７との嵌合具合を調整している。
【００２４】
また、連動杆６の片面又は両面には、図４に示すように、連結穴７の周囲において、連結ピン９の縦風向板４の下端縁および／または連結ピン９の頭部８と接触する複数のリブ１１が厚み方向に形成され、リブ１１に縦風向板４の下端縁および／または頭部８が当接することにより、連動杆６の厚み方向でのグラツキも調整できるようになっている。このリブ１１は、連結穴部９ａを中心に放射状に形成されている。本実施形態では、合計６個の突起１０に沿ってリブ１１が形成されている。
【００２５】
なお、リブ１１は連動杆６の表裏両面に形成する以外に、片面だけに形成してもよい。また、図２および図６に示すように、連動杆６には連結穴７同士の中間位置に補強用リブ１３が形成されている。
【００２６】
上記構成の風向調整機構において、縦風向板４を連動して偏向させるために連動装置５を組み立てる。連動装置５の組立は、縦風向板４の連結ピン９を連動杆６の連結穴７に挿入する。このとき、連結穴７にはその左右両側にスリット１２が形成されているため、連結ピン９の頭部８が連結穴７の径よりも小径であってもスリット１２の変形により連結ピン９の頭部８が連結穴７を貫通して連結ピン９のピン部９ａが連結穴部７ａに挿入されやすくなる。
【００２７】
連結穴７に連結ピン９が挿入された状態では、連結穴部７ａの穴壁に形成された突起１０と連結ピン９のピン部９ａとが点当たりすることになる。そのため、寸法およびトルクの調整が容易になると共に、温度変化やバラツキによる変形に対してのトルク管理および組立性も向上させることができる。
【００２８】
また、連動杆６は、連動杆６をモータ等の駆動源に接続する場合と、連動杆６を手動で操作する場合とで突起１０の突出量が異なるものを用意する。そして、接続対象に合わせて連動杆６を選択して組み立てる。そうすると、駆動源あるいは手動に適した回転トルクに設定することができ、連動杆６の変更にのみでその他は共通な部品を使用して連動装置を構成することができる。
【００２９】
さらに、連結ピン９の縦風向板４の下端縁および／または連結ピン９の頭部８と接触する複数のリブ１１を連動杆６の厚み方向に形成しているので、連動杆６の厚み方向に対しても同様に、つまり連結ピン９の軸方向でのグラツキも調整することができる。
【００３０】
なお、本実施形態では、空気調和機の室内ユニットの吹出口にある風向調整機構の連動装置に本発明を適用したが、これに限らず、加湿機、除湿機、空気清浄機、暖房機等の他の空気調節装置の吹出口に本発明を適用してもよいことは勿論である。
【図面の簡単な説明】
【００３１】
【図１】本発明の実施形態である風向調整機構を示す斜視図
【図２】連動杆の平面図
【図３】（ａ）は縦風向板と連動杆との連結前の状態を示す側面図、（ｂ）は縦風向板と連動杆との連結状態を示す側面図
【図４】連動杆の連結穴部の拡大平面図
【図５】図４のＡ−Ａ断面図
【図６】図４のＢ−Ｂ断面図
【図７】従来の連結杆の連結穴部を示す平面図
【符号の説明】
【００３２】
１    風向調整機構
２    吹出口
２ａ  口壁
３    縦軸
４    縦風向板
５    連動装置
６    連動杆
４ａ    羽根部
４ｂ    フランジ
４ｃ    軸部
７    連結穴
７ａ  連結穴部
８    頭部
９    連結ピン
９ａ  ピン部
１０    突起
１１    リブ
１２    スリット
１３    補強用リブ
【図１】
0004607791.tif 000002
【図２】
0004607791.tif 000003
【図３】
0004607791.tif 000004
【図４】
0004607791.tif 000005
【図５】
0004607791.tif 000006
【図６】
0004607791.tif 000007
【図７】
0004607791.tif 000008